(57)【要約】　　　（修正有）【課題】好みの模様や情報あるいはデータを表示した下敷き、スケジュール表、メニューあるいは広告パネルなどの合成樹脂製表示パネルが家庭において容易に自作できる合成樹脂製の貼合せ表示パネルキットを提供する。【解決手段】シート体１１，１２、及びプリント用紙１３から構成される。シート体１１，１２は、それぞれ矩形であって、離型紙１１ａ，１２ａに合成樹脂製のやや厚めの透明シート１１ｂ，１２ｂを貼着して構成される。プリント用紙１３は、前記透明シート１１ｂ，１２ｂよりサイズがやや小さい矩形であって、インクジェットプリンタにより文字、図柄、写真などのデータが印刷できるものを使用する。この下敷きキットにおいて、プリント用紙１３に好みの図柄等のデータをインクジェットプリンタで印刷し、シート体１１，１２からそれぞれ離型紙１１ａ，１２ａを剥がした透明シート１１ｂ，１２ｂを印刷済のプリント用紙１３の表裏に貼着すれば下敷きが完成する。【選択図】　　図１
0003098476.tif 000002
【実用新案登録請求の範囲】
【請求項１】
離型紙に貼着した少なくとも２枚の合成樹脂製透明シートと、インクジェットプリンタ又はレーザープリンタにより印刷が可能な少なくとも１枚のプリント用紙とから構成したことを特徴とする合成樹脂製の貼合せ表示パネルキット。
【請求項２】
２枚の合成樹脂製熱圧着透明シートと、インクジェットプリンタ又はレーザープリンタにより印刷が可能な少なくとも１枚のプリント用紙とから構成したことを特徴とする合成樹脂製の貼合せ表示パネルキット。
【請求項３】
透明シートが矩形であって、四隅が角丸であることを特徴とする請求項１又は２に記載の合成樹脂製の貼合せ表示パネルキット。
【請求項４】
透明シートの大きさがプリント用紙より小であることを特徴とする請求項１〜３のいずれか１項に記載の合成樹脂製の貼合せ表示パネルキット。
【請求項５】
透明シートの大きさがプリント用紙より大であり、プリント用紙が矩形であって、四隅が角丸であることを特徴とする請求項１〜３のいずれか１項に記載の合成樹脂製の貼合せ表示パネルキット。
【考案の詳細な説明】
【０００１】
【考案の属する技術分野】
本考案は、下敷き、スケジュール表、メニューあるいは広告パネルなどの合成樹脂製パネルとして使用することができる自作が可能な合成樹脂製の貼合せ表示パネルキットに関し、特に好みの模様や情報あるいはデータなどを表示することが可能な合成樹脂製の貼合せ表示パネルキットに関するものである。
【０００２】
【従来の技術】
従来より、例えば下敷きに好みの模様を表すには、好みの模様を表したシールなどを下敷きに貼付するなどの方法が採用されている。
【０００３】
【考案が解決しようとする課題】
しかしながら、下敷きにシールを貼付すると、シール貼付部とシール無貼付部との境界に段差が生じるため、シール貼付面は下敷きとして使用しづらくなるので、シールを貼付していない面のみを下敷きとして使用しなければならない不具合があった。
【０００４】
そこで、本考案者は、一般家庭におけるパーソナルコンピュータ、デジタルカメラ、白黒やカラーのインクジェットプリンタやレーザープリンタなどの電子機器の普及に伴い、好みの模様や情報あるいはデータを用紙に印刷することが容易になっている現状を踏まえ、印刷済の用紙に表裏から透明シートを貼着すれば、好みの模様や情報あるいはデータを表した合成樹脂製の表示パネルを製作できることに着目し、この合成樹脂製の表示パネル製作に必要なパーツを揃えたキットを用意することにより、好みの模様や情報あるいはデータを表示した下敷き、スケジュール表、メニューあるいは広告パネルなどの合成樹脂製表示パネルが家庭において容易に自作できる合成樹脂製の貼合せ表示パネルキットを考案した。
【０００５】
【課題を解決するための手段】
本考案に係る合成樹脂製の貼合せ表示パネルキットは、離型紙に貼着した少なくとも２枚の合成樹脂製透明シートと、インクジェットプリンタ又はレーザープリンタにより印刷が可能な少なくとも１枚のプリント用紙とから構成したことを特徴とするものである。
【０００６】
このような構成の合成樹脂製の貼合せ表示パネルキットを用意しておくと、前記プリント用紙にインクジェットプリンタ又はレーザープリンタにより印刷を行い、前記透明シートを離型紙から剥がし、印刷されたプリント用紙の表裏に離型紙から剥がした透明シートを貼着することにより合成樹脂製の表示パネルを製作することが可能となる。
【０００７】
また、本考案に係る合成樹脂製の貼合せ表示パネルキットとして、２枚の合成樹脂製熱圧着透明シートと、インクジェットプリンタ又はレーザープリンタにより印刷が可能な少なくとも１枚のプリント用紙とから構成してもよい。
【０００８】
このような構成の合成樹脂製の貼合せ表示パネルキットを用意しておくと、前記プリント用紙にインクジェットプリンタ又はレーザープリンタにより印刷を行い、前記透明シートを印刷済のプリント用紙の表裏にあてがって、透明シート同士を熱厚着により接着することにより合成樹脂製の表示パネルを製作することが可能となる。
【０００９】
また、前記の合成樹脂製の貼合せ表示パネルキットにおいて、透明シートが矩形であって、四隅が角丸であれば、プリント用紙が透明シートより小さいか又は同大の場合でプリント用紙が透明シート内に収めることができるときには、完成した合成樹脂製の表示パネルの四隅が角張らない。なお、プリント用紙が透明シートより小さいか又は同大の場合に合成樹脂製の表示パネル製作時にプリント用紙が透明シートからはみ出したときや、透明シートの大きさがプリント用紙より小の場合には、プリント用紙を透明シートに貼着した後に、透明シートの形状に沿ってプリント用紙を切断すれば、四隅が丸い合成樹脂製の表示パネルが完成する。
【００１０】
さらに、透明シートの大きさがプリント用紙より大であり、プリント用紙が矩形であって、四隅が角丸である場合には、プリント用紙を透明シートに貼着した後に、プリント用紙の形状に沿って透明シートを切断すれば、四隅が丸い合成樹脂製の表示パネルが完成する。
【００１１】
【考案の実施の形態】
以下、本考案に係る合成樹脂製の貼合せ表示パネルキットについて、実施例として手作り可能な下敷きキットを例にとり、添付の図面に基づいて説明する。
【００１２】
［第１の実施例］
図１及び図２は第１の実施例を示し、図１は下敷きを製作する状態を示す斜視図であり、図２は完成した下敷きの斜視図である。
【００１３】
本実施例に係る手作り下敷きキットは、シート体１１，１２、及びプリント用紙１３から構成される。シート体１１は矩形であって、離型紙１１ａに合成樹脂製のやや厚めの透明シート１１ｂを貼着して構成される。離型紙１１ａは透明シート１１ｂからはみ出すように透明シート１１ｂより面積がやや大きいものを採用し、離型紙１１ａのはみ出し部１１ｃを摘んで、透明シート１１ｂから離型紙１１ａを容易に剥がすことができるようになっている。また、シート体１２もシート体１１と同様の構成であって、矩形をなし、離型紙１２ａに合成樹脂製のやや厚めの透明シート１２ｂを貼着して構成される。離型紙１２ａは透明シート１２ｂからはみ出すように透明シート１２ｂより面積がやや大きいものを採用し、離型紙１２ａのはみ出し部１２ｃを摘んで、透明シート１２ｂから離型紙１２ａを容易に剥がすことができるようになっている。
【００１４】
プリント用紙１３は、前記透明シート１１ｂ，１２ｂよりサイズがやや小さい矩形であって、インクジェットプリンタにより文字、図柄、写真などのデータが印刷できる材質のものを使用する。
【００１５】
そして、上記の手作り下敷きキットから下敷きを製作するには、まず、プリント用紙１３に好みの図柄等のデータをインクジェットプリンタで印刷する。そして、シート体１１から離型紙１１ａを剥がした透明シート１１ｂを前記印刷済のプリント用紙１３の表面に貼着する。また、シート体１２から離型紙１２ａを剥がした透明シート１２ｂを前記印刷済のプリント用紙１３の裏面に貼着することにより、図２に示す下敷き１０が完成する。
【００１６】
以上のように、本実施例に係る手作り下敷きキットは、前記プリント用紙１３にインクジェットプリンタにより印刷を行い、前記透明シート１１ｂ，１２ｂを離型紙１１ａ，１２ａから剥がし、印刷されたプリント用紙１３の表裏に離型紙１１ａ，１２ａから剥がした透明シート１１ｂ，１２ｂを貼着することにより下敷き１０を製作することが可能となる。したがって、好みに応じた写真や模様を表した下敷きが極めて簡単に製作することができるので便利である。
【００１７】
なお、上記の実施例においては、下敷きが自作できる下敷きキットについて述べたが、本考案の合成樹脂製の貼合せ表示パネルキットは、その用途が下敷きに限られるものではなく、印刷する内容によってスケジュール表、メニューあるいは広告パネルなど多種多様の用途の合成樹脂製の表示パネルの製作に応用することができ、実用的に極めて便利なものである。
【００１８】
なお、本実施例における手作り下敷きキットを使用して下敷き１０を製作した場合には、その四隅の角が角張っているが、適当な切断器具を用いて四隅の角を丸く切断して使用することが好ましい。
【００１９】
また、本実施例においては、離型紙に合成樹脂製のやや厚めの透明シートを貼着して構成した２枚のシート体を使用したが、合成樹脂製の熱圧着可能なやや厚めの２枚の透明シートを使用してもよい。その場合には、プリント用紙にインクジェットプリンタにより印刷を行い、前記透明シートを印刷済のプリント用紙の表裏にあてがって家庭用アイロン等を使用して加熱及び加圧すれば、透明シート同士が接着するので、下敷きが簡単に製作できる。
【００２０】
さらに、本実施例においては、インクジェットプリンタにより文字、図柄、写真などのデータが印刷できる材質のプリント用紙を使用しているが、レーザープリンタにより文字、図柄、写真などのデータが印刷できる材質のプリント用紙を使用してもよい。
【００２１】
［第２の実施例］
図３は第２の実施例を示し、完成した下敷きの斜視図である。第１の実施例と相違する点は、第１の実施例における透明シート１１ｂ，１２ｂが矩形で四隅が角張っているのに対し、本実施例における透明シート２１ｂ，２２ｂは矩形で四隅が角丸になっている点にあり、その余の構成及び製作方法は第１の実施例と同様である。
【００２２】
このように透明シート２１ｂ，２２ｂが矩形であって、四隅が角丸であれば、プリント用紙２３が透明シート２１ｂ，２２ｂより小さいか又は同大の場合でプリント用紙２３が透明シート２１ｂ，２２ｂ内に収めることができるときには、完成した下敷き２０の四隅が角張らない利点があり、下敷きの四隅の処理をする必要がない。なお、プリント用紙が透明シートより小さいか又は同大の場合でも下敷き製作時にプリント用紙が透明シートからはみ出したときには、透明シートの形状に沿ってプリント用紙を切断すれば、四隅が丸い下敷きを完成させることができる。
【００２３】
［第３の実施例］
図４は第３の実施例を示し、完成した下敷きの斜視図である。第１の実施例と相違する点は、第１の実施例における透明シート１１ｂ，１２ｂが矩形で四隅が角張っており、プリント用紙１３が透明シート１１ｂ，１２ｂより小さいものを採用したのに対し、本実施例における透明シート３１ｂ，３２ｂは矩形で四隅が角丸になっており、プリント用紙３３が透明シート３１ｂ，３２ｂより大きい点にあり、その余の構成及び製作方法は第１の実施例と同様である。
【００２４】
このように透明シート３１ｂ，３２ｂが矩形であって、四隅が角丸であれば、透明シート３１ｂ，３２ｂの大きさがプリント用紙３３より小であっても、プリント用紙３３と透明シート３１ｂ，３２ｂとを貼り合わせた後に、透明シート３１ｂ，３２ｂの形状に沿ってプリント用紙３３を切断すれば、四隅が丸い下敷きを完成させることができる。
【００２５】
［第４の実施例］
図５は第４の実施例を示し、完成した下敷きの斜視図である。第１の実施例と相違する点は、第１の実施例におけるプリント用紙１３が矩形で四隅が角張っているのに対し、本実施例におけるプリント用紙４３が矩形で四隅が角丸になっている点にあり、その余の構成及び製作方法は第１の実施例と同様である。
【００２６】
このようにプリント用紙４３が矩形であって、四隅が角丸である場合には、プリント用紙４３を透明シート４１ｂ，４２ｂに貼着した後に、プリント用紙４３の形状に沿って透明シート４１ｂ，４２ｂを切断すれば、四隅が丸い下敷きが完成する。
【００２７】
【考案の効果】
本考案に係る合成樹脂製の貼合せ表示パネルキット手作りは、離型紙に貼着した少なくとも２枚の合成樹脂製透明シートと、インクジェットプリンタ又はレーザープリンタにより印刷が可能な少なくとも１枚のプリント用紙とから構成したので、前記プリント用紙にインクジェットプリンタ又はレーザープリンタにより印刷を行い、前記透明シートを離型紙から剥がし、印刷されたプリント用紙の表裏に離型紙から剥がした透明シートを貼着することにより合成樹脂製の表示パネルを製作することが可能となる。
【００２８】
また、本考案に係る合成樹脂製の貼合せ表示パネルキットとして、２枚の合成樹脂製熱圧着透明シートと、インクジェットプリンタ又はレーザープリンタにより印刷が可能な少なくとも１枚のプリント用紙とから構成すると、前記プリント用紙にインクジェットプリンタ又はレーザープリンタにより印刷を行い、前記透明シートを印刷済のプリント用紙の表裏にあてがって、透明シート同士を熱厚着により接着することにより合成樹脂製の貼合せ表示パネルキットを極めて簡単にかつ綺麗に、しかも失敗することなく製作することが可能となる。
【００２９】
このように本考案に係る合成樹脂製の貼合せ表示パネルキットは、好みに応じた写真や模様あるいは情報やデータを表示した合成樹脂製の表示パネルが極めて簡単に製作することができるので便利であり、種々のデータをプリント用紙に印刷してスケジュール表、飲食店などで使用されるメニューあるいは広告パネルを製作すれば実用的に便利である。
【００３０】
また、前記の合成樹脂製の貼合せ表示パネルキットにおいて、透明シートが矩形であって、四隅が角丸であれば、プリント用紙が透明シートより小さいか又は同大の場合でプリント用紙が透明シート内に収めることができるときには、完成した合成樹脂製の表示パネルの四隅が角張らない利点があり、表示パネルの四隅の処理をする必要がない。なお、プリント用紙が透明シートより小さいか又は同大の場合に合成樹脂製の表示パネル製作時にプリント用紙が透明シートからはみ出したときや、透明シートの大きさがプリント用紙より小の場合には、プリント用紙を透明シートに貼着した後に、透明シートの形状に沿ってプリント用紙を切断すれば、四隅が丸い合成樹脂製の表示パネルが完成するので便利である。
【００３１】
さらに、透明シートの大きさがプリント用紙より大であり、プリント用紙が矩形であって、四隅が角丸である場合には、プリント用紙を透明シートに貼着した後に、プリント用紙の形状に沿って透明シートを切断すれば、四隅が丸い合成樹脂製の表示パネルが完成するので便利である。
【図面の簡単な説明】
【図１】第１の実施例であって、下敷きを製作する状態を示す斜視図である。
【図２】第１の実施例であって、完成した下敷きの斜視図である。
【図３】第２の実施例であって、完成した下敷きの斜視図である。
【図４】第３の実施例であって、完成した下敷きの斜視図である。
【図５】第４の実施例であって、完成した下敷きの斜視図である。
【符号の説明】
１０・・・下敷き　　　　　１１・・・シート体
１１ａ・・離型紙　　　　　１１ｂ・・透明シート
１１ｃ・・はみ出し部　　　１２・・・シート体
１２ａ・・離型紙　　　　　１２ｂ・・透明シート
１２ｃ・・はみ出し部　　　１３・・・プリント用紙
２０・・・下敷き　　　　　２１ｂ・・透明シート
２２ｂ・・透明シート　　　２３・・・プリント用紙
３０・・・下敷き　　　　　３１ｂ・・透明シート
３２ｂ・・透明シート　　　３３・・・プリント用紙
４０・・・下敷き　　　　　４１ｂ・・透明シート
４２ｂ・・透明シート　　　４３・・・プリント用紙
【図１】
0003098476.tif 000003
【図２】
0003098476.tif 000004
【図３】
0003098476.tif 000005
【図４】
0003098476.tif 000006
【図５】
0003098476.tif 000007